Podtech/llm-jp-corpus-v4-ja_patent huggingface dataset:
【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
プレシオクロナスなランチクロック及びキャプチャクロックによって駆動されたランチドメインとキャプチャドメインとの間のデータ転送を最適化するための装置であって、  
前記ランチクロック１０６によって駆動されたランチドメイン１０２内のビーコン発生器１２０であって、ビーコン２００を生成する、ビーコン発生器と、
前記キャプチャクロック１０８によって駆動されたキャプチャドメイン１０４内の例外検出器１２６であって、前記ビーコン２００を、捕捉されたビーコンとして表して、該捕捉されたビーコン内において検出された例外を示すことからなる、例外検出器と、
前記検出された例外に応答するステートマシン１３０であって、前記ランチクロックと前記捕捉されたビーコンとの間の相対位相を最適化するために、前記キャプチャクロック１０８の位相を調整する、ステートマシン
とを備える、装置。
【請求項２】
前記捕捉されたビーコン内において前記例外が検出された時の前記キャプチャクロックの位相に対して約１８０度位相がずれることになるよう、前記キャプチャクロック１０８の位相を前記ステートマシン１３０が調整する、請求項１に記載の装置。
【請求項３】
前記ステートマシン１３０は、第１及び第２の例外検出器に応答して、第１及び第２の検出された例外に基づいて、前記キャプチャクロックを最適化するために前記キャプチャクロック１０８の位相を調整する、請求項１に記載の装置。
【請求項４】
前記第１の検出された例外と前記第２の検出された例外との間の差分を最大化させるために、前記キャプチャクロック１０８の位相を前記ステートマシン１３０が調整する、請求項３に記載の装置。
【請求項５】
前記ランチクロック１０６と前記キャプチャクロック１０８とが、同じ周波数を有し、該周波数は、ソースクロック１００の倍数であり、前記ソースクロック１００の周期区間に等しいインクリメントにおいて、前記キャプチャクロック１０８を前記ステートマシン１３０が調整することからなる、請求項１に記載の装置。
【請求項６】
前記ランチクロック１０６及び前記キャプチャクロック１０８の前記周波数が、前記ソースクロックの周波数の１／Ｎであり、
前記キャプチャクロック１０８の位相を、前記ソースクロック１００の、Ｎ／２以下の整数値の追加周期区間だけ、前記例外が検出された時の前記キャプチャクロック１０８の位相に対してスリップさせることによって、前記キャプチャクロック１０８を前記ステートマシン１３０が最適化することからなる、請求項５に記載の装置。
【請求項７】
前記Ｎは奇数の整数である、請求項６に記載の装置。
【請求項８】
前記ビーコン２００が、論理１と論理０とのデータストリームを含み、前記例外は、１と０とからなるグループから選択された少なくとも２つの連続した論理値のデータパターンを含むことからなる、請求項１に記載の装置。
【請求項９】
前記ビーコン２００が、前記キャプチャクロック１０８の周波数の半分の周波数である、請求項８に記載の装置。
【手続補正書】
【提出日】平成20年12月12日(2008.12.12)
【手続補正１】
【補正対象書類名】明細書
【補正対象項目名】０１５５
【補正方法】変更
【補正の内容】
【０１５５】
図５Ａは、図４Ｂに示されるステップＳ９１０を説明するための図である。
【手続補正２】
【補正対象書類名】明細書
【補正対象項目名】０１５７
【補正方法】変更
【補正の内容】
【０１５７】
図５Ｂは、図４Ｂに示されるステップＳ９１２を説明するための図である。
【手続補正３】
【補正対象書類名】明細書
【補正対象項目名】０１５９
【補正方法】変更
【補正の内容】
【０１５９】
図５Ｃ及び図５Ｄの各々は、図４Ｂに示されるステップＳ９１３を説明するための図である。
【手続補正４】
【補正対象書類名】明細書
【補正対象項目名】０２４８
【補正方法】変更
【補正の内容】
【０２４８】
一方、端末２００は、情報交換フェーズにおいて、ルータ１０１がＰＳ  ＮＡＴ特性を有していることと、ポート割当て間隔α１の値と、ポート番号［ＧＰ１４］とを含むＮＡＴ特性情報を取得している。端末２００は、ルータ１０１がＰ２Ｐ通信に使用するポート番号が［ＧＰ１４＋α１］であると予測し、宛先ポート番号に［ＧＰ１４＋α１］が設定され、発信元ポート番号に［ＬＰ１］が設定されたＰ２Ｐ開始要求パケットを送信する（ステップＳ１８０２）。
【手続補正５】
【補正対象書類名】明細書
【補正対象項目名】０２５６
【補正方法】変更
【補正の内容】
【０２５６】
更に、端末１００及び２００が一旦調査されたルータのＮＡＴ特性を記憶する場合、端末１００及び２００は、次のような手順に従って、記憶されているＮＡＴ特性が変化していないことを確認すれば良い。端末１００及び２００の各々は、Ｐ２Ｐ通信路確立フェーズの期間または端末１００及び２００がＰ２Ｐ通信している期間に、接続先装置のポート番号を含むパケットを当該接続先装置に送信する。また、サーバ００１は、サーバ００１との通信のためにルータ１０１が使用するポート番号を含むパケットを、端末１００及び２００の各々に送信する。端末１００及び２００は、接続先装置から通知されたポート番号と、サーバ００１との通信のためにされるルータのポート番号とを比較することによって、ＮＡＴ特性を確認することができる。
【手続補正６】
【補正対象書類名】明細書
【補正対象項目名】０２９５
【補正方法】変更
【補正の内容】
【０２９５】
【図１】本発明の実施形態に係る通信システムの全体構成を示すブロック図
【図２Ａ】図１に示される端末の概略構成を示すブロック図
【図２Ｂ】図１に示される端末の概略構成を示すブロック図
【図２Ｃ】図１に示されるサーバの概略構成を示すブロック図
【図３】本実施形態に係る通信システムがＰ２Ｐ通信路を確立するために実行する処理の概略を示すシーケンス図
【図４Ａ】図３に示されるＮＡＴ特性調査フェーズ及び準備フェーズにおける処理の詳細を示すシーケンス図
【図４Ｂ】図４Ａに示されるステップＳ９０８の処理の詳細を示すフローチャート
【図５Ａ】図４Ｂに示されるステップＳ９１０を説明するための図
【図５Ｂ】図４Ｂに示されるステップＳ９１２を説明するための図
【図５Ｃ】図４Ｂに示されるステップＳ９１３を説明するための図
【図５Ｄ】図４Ｂに示されるステップＳ９１３を説明するための図
【図６】図３に示される情報交換フェーズにおける処理の詳細を示すシーケンス図
【図７】図６に示されるＰ２Ｐ通信路確立フェーズにおいて、端末が実行する処理を示すフローチャート
【図８】図７に示される接続シーケンス１の詳細を示す図
【図９Ａ】図７に示される接続シーケンス２の詳細を示す図
【図９Ｂ】図９Ａに示されるポート番号を示す図
【図１０】ルータのポート番号割り当て間隔を説明するための図
【図１１】図７に示される接続シーケンス３の詳細を示す図
【図１２Ａ】図７に示される接続シーケンス４の詳細を示す図
【図１２Ｂ】図１２Ａに示されるポート番号を示す図
【図１２Ｃ】端末及びルータ間のポート番号の関係を示す図
【図１３Ａ】図７に示される接続シーケンス５の詳細を示す図
【図１３Ｂ】図１３Ａに示されるポート番号を示す図
【図１４Ａ】図７に示される接続シーケンス６の詳細を示す図
【図１４Ｂ】図１４Ａに示されるポート番号を示す図
【図１５Ａ】ルータのＮＡＴ特性がＣｏｎｅ若しくはＡＳ  ＮＡＴ特性のいずれであるかを特定する処理を含む接続シーケンス図
【図１５Ｂ】図１５Ａに示されるポート番号を示す図
【図１６】一旦調査されたＮＡＴ特性が記憶されている場合における処理を示す接続シーケンス図
【図１７Ａ】端末が３つのルータを介してグローバルネットワークに接続されている例を示す図
【図１７Ｂ】端末が３つのルータを介してグローバルネットワークに接続されている他の例を示す図
【図１８Ａ】Ｆｕｌｌ  Ｃｏｎｅ  ＮＡＴと呼ばれるＮＡＴを説明するための図
【図１８Ｂ】Ｒｅｓｔｒｉｃｔｅｄ  Ｃｏｎｅ  ＮＡＴ（Ｒ  ＮＡＴ）と呼ばれるＮＡＴを説明するための図
【図１８Ｃ】Ｐｏｒｔ  Ｒｅｓｔｒｉｃｔｅｄ  Ｃｏｎｅ  ＮＡＴ（ＰＲ  ＮＡＴ）と呼ばれるＮＡＴ特性を説明するための図
【図１８Ｄ】Ａｄｒｅｓｓ  Ｓｅｎｓｉｔｉｖｅ  Ｓｙｍｍｅｔｒｉｃ  ＮＡＴ（ＡＳ  ＮＡＴ）と呼ばれるＮＡＴを説明するための図
【図１８Ｅ】Ｐｏｒｔ  Ｓｅｎｓｉｔｉｖｅ  Ｓｙｍｍｅｔｒｉｃ  ＮＡＴ（ＰＳ ＮＡＴ）と呼ばれるＮＡＴを説明するための図
【図１９Ａ】Ｐｏｒｔ  Ｒｅｕｓｅ特性の概略を説明するための図
【図１９Ｂ】Ｐｏｒｔ  Ｒｅｕｓｅ特性を有するルータの機能を説明するための図
【図２０Ａ】ＳＴＵＮ−ＴｅｓｔＩの概略を示す図
【図２０Ｂ】ＳＴＵＮ−ＴｅｓｔＩＩの概略を示す図
【図２０Ｃ】ＳＴＵＮ−ＴｅｓｔＩＩＩの概略を示す図
【図２１】ＳＴＵＮによってＮＡＴ特性を調査するためのフローチャート
【図２２】ＳＴＵＮを利用するＰ２Ｐ通信路確立方法を示すシーケンス図
【図２３】Ｓｙｍｍｅｔｒｉｃ  ＮＡＴ特性を有するルータを介して接続される２つの通信端末に、ＳＴＵＮを利用するＰ２Ｐ通信路確立方法を適用した場合の処理手順を示すシーケンス図
【図２４】Ｓｙｍｍｅｔｒｉｃ  ＮＡＴ特性を有するルータを介して接続される２つの通信端末に、ＳＴＵＮを利用するＰ２Ｐ通信路確立方法を適用した場合の処理手順を示すシーケンス図
【図２５】従来のＰ２Ｐ通信路確立方法を示すシーケンス図
【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
ビデオ信号を記録または放送するためのシステムであって、
当該システムは少なくとも２つのビデオカメラ（１、２、３、４）を含み、
当該ビデオカメラは相互に独立して動かされ、前記少なくとも２つのビデオカメラ（１、２、３、４）のうちの各カメラはビューファインダを有している形式のものであって、
前記少なくとも２つのカメラの各カメラには、システムの他の各カメラに選択的に信号を伝送するための手段が設けられており、
当該他の各カメラは、自身で捕捉したビデオ信号に加えて、当該信号を受信し、自身のビューファインダ（１０）内に示すようにされており、
前記信号は各カメラのカメラ操作者による前記信号のアクティブ化に基づいてのみ、生成され、伝送される、
ことを特徴とするシステム。
【請求項２】
前記少なくとも２つのビデオカメラ（１、２、３、４）のうちの１つのビデオカメラは、システムの複数の他のカメラからの信号を受信し、表示するようにされている、請求項１記載のシステム。
【請求項３】
前記伝送された信号は、信号を伝送している各カメラ（１１）の識別を含む、請求項１記載のシステム。
【請求項４】
前記伝送された信号は、伝送している各カメラによって捕捉されたビデオ信号を含む、請求項１記載のシステム。
【請求項５】
システム内の別のカメラのビューファインダ内に表示するために伝送されたビデオ信号は、各カメラによって記録されたまたは放送されたビデオ信号と比較して、低減されたフレーム率、サイズおよび／または解像度を有している、請求項４記載のシステム。
【請求項６】
前記伝送された信号はさらなる成分を含み、当該成分の伝送は付加的に、伝送している各カメラのカメラ操作者によってアクティブにされ、これによってシステム内の他の各カメラは、システム内の他の各カメラのビューファインダ内で対応するビデオ信号を強調させる、請求項４記載のシステム。
【請求項７】
請求項１から６までのいずれか１項記載のシステム内で使用されるカメラであって、
信号を伝送する手段を有しており、
前記カメラは、少なくとも１つの他のカメラから信号を選択的に受信する手段を有しており、
当該カメラは、前記少なくとも１つの他のカメラから来る信号を自身のビューファインダ（１０）内に選択的に表示するようにされている形式のものにおいて、
前記カメラは、システムの他の各カメラに選択的に信号を伝送するための手段を有しており、
当該他の各カメラは、自身で捕捉したビデオ信号に加えて、前記信号を受信し、自身のビューファインダ（１０）内に示すようにされており、
前記信号はカメラのカメラ操作者による前記信号のアクティブ化に基づいてのみ伝送される、
ことを特徴とするカメラ。
【請求項８】
前記カメラは、少なくとも１つの他のカメラ（１２、１３、１４）から受信したビデオ信号を、自身のビューファインダ（１０）内で、オリジナルのサイズに比べて低減されたサイズ、フレーム率および／または解像度で再生するようにされている、請求項７記載のカメラ。
【請求項９】
前記カメラは、前記受信信号内で、請求項６に記載された成分を検出する手段を有しており、
前記カメラは、当該成分を検出すると、点滅および／または画像の周りの色付けされたフレームの形で、ビューファインダ内で強調させる、請求項８記載のカメラ。
【請求項１０】
前記カメラは、少なくとも１つの他のカメラから受信した画像の表示を選択的にアクティブにする手段を有している、請求項８記載のカメラ。
【手続補正書】
【提出日】平成21年8月25日(2009.8.25)
【手続補正１】
【補正対象書類名】特許請求の範囲
【補正対象項目名】全文
【補正方法】変更
【補正の内容】
【特許請求の範囲】
【請求項１】
入力画像を所定数の画素からなる画素ブロックに分割するステップと、
前記画素ブロックに含まれる画素の輝度成分および色差成分を抽出してサブデータを得るステップと、
前記サブデータにＤＣＴ処理を行ってＤＣＴ係数を得るステップと、
前記ＤＣＴ係数に対して、量子化テーブルに設定された所定の係数を用いて除算する量子化処理を行う量子化ステップと、
前記量子化ステップで得られたデータにエントロピー符号化処理を行い、ＤＣＴ符号化係数を求めることで、サブデータのそれぞれに対応する符号化画像データを得る符号化ステップと、
前記符号化画像データに、サブデータの境界を特定するための所定のビット列である境界コードを含ませるステップと、
を含む画像符号化方法であって、
前記含ませるステップは、前記符号化画像データ内に、前記境界コードと同じビット列が存在するかどうかを検出するサブステップと、
前記境界コードと同じビット列を検出した場合、当該ビット列を前記境界コードとは異なるビット列に変換するサブステップと、
前記符号化画像データの最後のＤＣＴ符号化係数を、前記境界コードで置き換える置換サブステップと、
を含む画像符号化方法。
【請求項２】
前記置換サブステップは、
前記符号化画像データの最後から２番目のＤＣＴ符号化係数を、バイトアラインメントのずれに応じてあらかじめ定められた所定長のビット列であるパディングコードに置換することで、前記置き換えられた境界コードのバイトアラインメントを保つものである
ことを特徴とする請求項１に記載の画像符号化方法。
【請求項３】
前記置換サブステップにおいて置換されたビット列を画像復号時の逆量子化処理において消去するために、前記量子化ステップで用いた量子化テーブルにおける置換されたＤＣＴ符号化係数に対応するテーブル値を所定の値に変換するステップをさらに含む
ことを特徴とする請求項１または２に記載の画像符号化方法。
【請求項４】
前記境界コードは、エントロピー符号化処理によって表れないデータ列である
ことを特徴とする請求項１〜３のいずれか１項に記載の画像符号化方法。
【請求項５】
入力画像を所定数の画素からなる画素ブロックに分割する手段と、
前記画素ブロックに含まれる画素の輝度成分および色差成分を抽出してサブデータを得る手段と、
前記サブデータにＤＣＴ処理を行ってＤＣＴ係数を得る手段と、
前記ＤＣＴ係数に対して、量子化テーブルに設定された所定の係数を用いて除算する量子化処理を行う量子化手段と、
前記量子化手段により得られたデータにエントロピー符号化処理を行い、ＤＣＴ符号化係数を求めることで、サブデータのそれぞれに対応する符号化画像データを得る符号化手段と、
前記符号化画像データに、サブデータの境界を特定するための所定のビット列である境界コードを含ませる手段と、
を備える画像符号化装置であって、
前記含ませる手段は、前記符号化画像データ内に、前記境界コードと同じビット列が存在するかどうかを検出し、
前記境界コードと同じビット列を検出した場合、当該ビット列を前記境界コードとは異なるビット列に変換し、
前記符号化画像データの最後のＤＣＴ符号化係数を、前記境界コードで置き換える
ことを特徴とする画像符号化装置。
【手続補正２】
【補正対象書類名】明細書
【補正対象項目名】０００５
【補正方法】変更
【補正の内容】
【０００５】
上記目的を達成するために本発明にあっては、以下の構成を採用する。すなわち、
入力画像を所定数の画素からなる画素ブロックに分割するステップと、
前記画素ブロックに含まれる画素の輝度成分および色差成分を抽出してサブデータを得るステップと、
前記サブデータにＤＣＴ処理を行ってＤＣＴ係数を得るステップと、
前記ＤＣＴ係数に対して、量子化テーブルに設定された所定の係数を用いて除算する量子化処理を行う量子化ステップと、
前記量子化ステップで得られたデータにエントロピー符号化処理を行い、ＤＣＴ符号化係数を求めることで、サブデータのそれぞれに対応する符号化画像データを得る符号化ステップと、
前記符号化画像データに、サブデータの境界を特定するための所定のビット列である境界コードを含ませるステップと、
を含む画像符号化方法であって、
前記含ませるステップは、前記符号化画像データ内に、前記境界コードと同じビット列が存在するかどうかを検出するサブステップと、
前記境界コードと同じビット列を検出した場合、当該ビット列を前記境界コードとは異なるビット列に変換するサブステップと、
前記符号化画像データの最後のＤＣＴ符号化係数を、前記境界コードで置き換える置換サブステップと、
を含む画像符号化方法である。
【手続補正３】
【補正対象書類名】明細書
【補正対象項目名】０００６
【補正方法】変更
【補正の内容】
【０００６】
また、
入力画像を所定数の画素からなる画素ブロックに分割する手段と、
前記画素ブロックに含まれる画素の輝度成分および色差成分を抽出してサブデータを得る手段と、
前記サブデータにＤＣＴ処理を行ってＤＣＴ係数を得る手段と、
前記ＤＣＴ係数に対して、量子化テーブルに設定された所定の係数を用いて除算する量子化処理を行う量子化手段と、
前記量子化手段により得られたデータにエントロピー符号化処理を行い、ＤＣＴ符号化係数を求めることで、サブデータのそれぞれに対応する符号化画像データを得る符号化手段と、
前記符号化画像データに、サブデータの境界を特定するための所定のビット列である境界コードを含ませる手段と、
を備える画像符号化装置であって、
前記含ませる手段は、前記符号化画像データ内に、前記境界コードと同じビット列が存在するかどうかを検出し、
前記境界コードと同じビット列を検出した場合、当該ビット列を前記境界コードとは異なるビット列に変換し、
前記符号化画像データの最後のＤＣＴ符号化係数を、前記境界コードで置き換える
ことを特徴とする画像符号化装置である。
【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
輝度信号と色差信号から構成される入力画像を変換することによりＲＧＢ信号から構成されるＲＧＢ画像を得る変換ステップと、
前記入力画像が入力されてから前記ＲＧＢ画像が得られるまでの期間を利用して、前記入力画像の輝度信号のヒストグラムを検出し、前記ヒストグラムからγカーブを生成する生成ステップと、
前記生成ステップで生成したγカーブを用いて、該γカーブの生成に利用した前記入力画像から得られた前記ＲＧＢ画像のγ変換を行うステップと、を含むことを特徴とする画像処理方法。
【請求項２】
前記入力画像はインターレース信号であり、
前記変換ステップは、インターレース信号の前記入力画像をプログレッシブ信号にＩＰ変換するステップと、プログレッシブ信号に変換された前記入力画像を前記ＲＧＢ画像に色空間変換するステップを含むことを特徴とする請求項１に記載の画像処理方法。
【請求項３】
前記入力画像が入力されてから前記ＲＧＢ画像が得られるまでの期間は、１フレーム分の遅延期間であることを特徴とする請求項１または２に記載の画像処理方法。
【請求項４】
前記生成ステップは、
前記入力画像の色差信号から各画素の彩度を計算するステップと、
計算された彩度の値が所定の高彩度範囲の間にある画素の数をカウントすることにより、高彩度な画素の数を検出するステップと、
前記高彩度な画素の数を前記ヒストグラムにおける最も高輝度側のカテゴリの度数に加算するステップと、
前記高彩度な画素の数が加算されたヒストグラムから前記γカーブを生成するステップと、を含むことを特徴とする請求項１〜３のうちいずれか１項に記載の画像処理方法。
【請求項５】
前記入力画像は、輝度信号Ｙと色差信号Ｕ、Ｖから構成されるＹＵＶ信号であり、
前記彩度を計算するステップでは、
Ｃｒ＝Ｓｑｒｔ（Ｕ２＋Ｖ２）
により、彩度Ｃｒを計算することを特徴とする請求項４に記載の画像処理方法。
【請求項６】
前記入力画像は、輝度信号Ｙと色差信号Ｕ、Ｖから構成されるＹＵＶ信号であり、
前記彩度を計算するステップでは、
Ｃｒ＝｜Ｕ｜＋｜Ｖ｜
により、彩度Ｃｒを計算することを特徴とする請求項４に記載の画像処理方法。
【請求項７】
前記生成ステップは、
前記変換ステップで得られた１フレーム前のＲＧＢ画像の各画素についてＲＧＢ信号の最大値を検出するステップと、
検出された最大値が所定の高階調範囲の間にある画素の数をカウントすることにより、高階調な画素の数を検出するステップと、
前記高階調な画素の数を前記ヒストグラムにおける最も高輝度側のカテゴリの度数に加算するか、又は、前記ヒストグラムにおける最も高輝度側のカテゴリの度数を前記高階調な画素の数に置換するステップと、
前記高階調な画素の数が加算され、又は、前記高階調な画素の数に置換されたヒストグラムから前記γカーブを生成するステップと、を含むことを特徴とする請求項１〜３のうちいずれか１項に記載の画像処理方法。
【手続補正２】
【補正対象書類名】明細書
【補正対象項目名】００１８
【補正方法】変更
【補正の内容】
【００１８】
本発明は上記目的を達成するため、輝度信号と色差信号から構成される入力画像を変換することによりＲＧＢ信号から構成されるＲＧＢ画像を得る変換ステップと、前記入力画像が入力されてから前記ＲＧＢ画像が得られるまでの期間を利用して、前記入力画像の輝度信号のヒストグラムを検出し、前記ヒストグラムからγカーブを生成する生成ステップと、前記生成ステップで生成したγカーブを用いて、該γカーブの生成に利用した前記入力画像から得られた前記ＲＧＢ画像のγ変換を行うステップと、を含むことを特徴とする画像処理方法である。
【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
絶縁基板、
前記絶縁基板上に形成されていて、ゲート電極を含むゲート線、
前記ゲート線と絶縁されて交差する、ソース電極を含むデータ線、
前記ソース電極と、前記ゲート線上で対向しているドレイン電極、
前記データ線下に形成されていて、前記ドレイン電極下まで延長された突出部を含む半導体を含み、
前記半導体の前記データ線から離れて前記ドレイン電極側に位置する部分は、前記ゲート電極を含むゲート線が占有する領域の内部に位置することを特徴とする薄膜トランジスタ表示板。
【請求項２】
前記ドレイン電極は、前記半導体が占有する領域の内部に位置することを特徴とする請求項１に記載の薄膜トランジスタ表示板。
【請求項３】
前記半導体の突出部は、前記ゲート電極を含むゲート線が占有する領域の内部に位置することを特徴とする請求項１に記載の薄膜トランジスタ表示板。
【請求項４】
前記ドレイン電極と連結されている画素電極をさらに含むことを特徴とする請求項１に記載の薄膜トランジスタ表示板。
【請求項５】
絶縁基板、
前記絶縁基板上に形成されていて、ゲート電極を含むゲート線、
前記ゲート線上に形成されているゲート絶縁膜、
前記ゲート絶縁膜上に形成されていて、突出部を含む線状半導体、
前記線状半導体上に形成されて前記ゲート線と交差する、ソース電極を含むデータ線、
前記線状半導体の突出部上に形成されているドレイン電極、
前記データ線及びドレイン電極上に形成されていて、前記ドレイン電極を露出する接触孔が形成されている保護膜、
前記保護膜上に形成されていて、前記接触孔を通じて前記ドレイン電極と連結されている画素電極を含み、
前記線状半導体の前記データ線から離れて前記ドレイン電極側に位置する部分は、前記ゲート電極を含むゲート線が占有する領域の内部に位置することを特徴とする薄膜トランジスタ表示板。
【請求項６】
前記ドレイン電極は、前記半導体が占有する領域の内部に位置することを特徴とする請求項５に記載の薄膜トランジスタ表示板。
【請求項７】
前記半導体の突出部は、前記ゲート電極を含むゲート線が占有する領域の内部に位置することを特徴とする請求項５に記載の薄膜トランジスタ表示板。
【請求項８】
前記画素電極は、前記ドレイン電極に向かってのびた枝部を含み、前記枝部は、前記ドレイン電極と連結されていることを特徴とする請求項５に記載の薄膜トランジスタ表示板。
【請求項９】
前記接触孔は、前記ドレイン電極及び前記ドレイン電極周辺の前記半導体を露出することを特徴とする請求項５に記載の薄膜トランジスタ表示板。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
上記の課題を解決するためになされた本発明の請求項５による、薄膜トランジスタ表示板は、絶縁基板、前記絶縁基板上に形成されていて、ゲート電極を含むゲート線、前記ゲート線上に形成されているゲート絶縁膜、前記ゲート絶縁膜上に形成されていて、突出部を含む線状半導体、前記線状半導体上に形成されて前記ゲート線と交差して、ソース電極を含むデータ線、前記線状半導体の突出部上に形成されているドレイン電極、前記データ線及びドレイン電極上に形成されていて、前記ドレイン電極を露出する接触孔が形成されている保護膜、前記保護膜上に形成されていて、前記接触孔を通じて前記ドレイン電極と連結されている画素電極を含み、前記線状半導体の前記データ線から離れて前記ドレイン電極側に位置する部分は、前記ゲート電極を含むゲート線が占有する領域の内部に位置することを特徴とする。
【手続補正７】
【補正対象書類名】明細書
【補正対象項目名】００１７
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
複数の画素と、
画素ごとに入力映像データに基づいて現在の映像データに対するデータ累積値を生成し、該データ累積値による補正係数を求め、該補正係数に基づき現在の映像データを補正して補正映像データを生成する信号制御部と、
前記補正映像データに対応するデータ電圧を生成して前記画素に供給するデータ駆動部と、を備えることを特徴とする表示装置。
【請求項２】
前記信号制御部は、前記入力映像データを調整して該調整された映像データのそれぞれが所定数のレベルのうちの一つの値を有するようにし、該調整された映像データを累積して前記データ累積値を生成することを特徴とする請求項１に記載の表示装置。
【請求項３】
前記信号制御部は、所定間隔ごとに前記入力映像データを累積することを特徴とする請求項１に記載の表示装置。
【請求項４】
前記信号制御部は、前記入力映像データを所定間隔ごとに累積して前記データ累積値を生成することを特徴とする請求項１に記載の表示装置。
【請求項５】
前記信号制御部は、
前記画素ごとにバッファデータを記憶するフレームバッファと、
前記入力映像データを所定間隔ごとに一つ以上のレベルに大きさを調整した後、前記調整されたデータに前記フレームバッファに記憶された直前のバッファデータを加算して現在のバッファデータとして前記フレームバッファに提供するレベル符号器と、を有することを特徴とする請求項１に記載の表示装置。
【請求項６】
前記信号制御部は、前記データ累積値の基本値を記憶するレジスタをさらに有し、
前記レベル符号器は、前記フレームバッファに記憶されているバッファデータが所定レベル以上であれば、該バッファデータから所定レベルを減算し、所定レベルに対応する値を前記レジスタの基本値に累積することを特徴とする請求項５に記載の表示装置。
【請求項７】
前記信号制御部は、前記フレームバッファからのバッファデータと前記レジスタからの基本値とに基づいて前記データ累積値を生成するレベル復号器をさらに有することを特徴とする請求項５に記載の表示装置。
【請求項８】
前記補正係数は、前記データ累積値の関数で予め決定されることを特徴とする請求項１に記載の表示装置。
【請求項９】
前記信号制御部は、
補正変数を記憶するルックアップテーブルと、
前記ルックアップテーブルから受信した補正変数に基づいて前記データ累積値に対応する補正係数を算出し、該補正係数に基づいて前記補正映像データを生成する映像信号補正部と、を有することを特徴とする請求項８に記載の表示装置。
【請求項１０】
前記画素は少なくとも３つの基本色の画素を有し、前記補正係数は少なくとも３つの基本色ごとに独立的に算出されることを特徴とする請求項８に記載の表示装置。
【手続補正２】
【補正対象書類名】明細書
【補正対象項目名】発明の名称
【補正方法】変更
【補正の内容】
【発明の名称】表示装置
【手続補正３】
【補正対象書類名】明細書
【補正対象項目名】０００１
【補正方法】変更
【補正の内容】
【０００１】
本発明は表示装置に関し、特に有機発光表示装置に関する。
【手続補正４】
【補正対象書類名】明細書
【補正対象項目名】０００６
【補正方法】変更
【補正の内容】
【０００６】
本発明は上記のような従来の表示装置の問題点に鑑みてなされたものであって、その目的は、画素回路を簡単にして画素の開口率を向上させると共に、長時間駆動させても有機発光ダイオード及び駆動トランジスタの劣化を補償することができる表示装置を提供することにある。
【手続補正５】
【補正対象書類名】明細書
【補正対象項目名】０００７
【補正方法】変更
【補正の内容】
【０００７】
上記目的を達成するためになされた本発明の表示装置は、複数の画素、画素ごとに入力映像データに基づいて現在の映像データに対するデータ累積値を生成し、該データ累積値による補正係数を求め、該補正係数に基づき前記現在の映像データを補正して補正映像データを生成する信号制御部、並びに前記補正映像データに対応するデータ電圧を生成して前記画素に供給するデータ駆動部を備えることを特徴とする。
前記信号制御部は、前記入力映像データを調整し、該調整された映像データのそれぞれが所定数のレベルのうちの一つの値を有するようにすることができる。前記信号制御部は、前記入力映像データまたは前記調整された映像データを累積して前記データ累積値を生成し、所定間隔ごとに前記入力映像データまたは前記調整された映像データを累積することを、特徴とする。
前記信号制御部は、前記画素ごとにバッファデータを記憶するフレームバッファ、並びに、前記入力映像データを所定間隔ごとに一つ以上のレベルに大きさを調整した後、前記調整されたデータに直前のバッファデータを加算して、現在のバッファデータとして前記フレームバッファに提供するレベル符号器を有することを特徴とする。
前記信号制御部は、前記データ累積値の基本値を記憶するレジスタをさらに有することができる。前記レベル符号器は、前記フレームバッファに記憶されている前記バッファデータが所定レベル以上であれば、該バッファデータから所定レベルを減算し、所定レベルに対応する値を前記レジスタの基本値に累積することを特徴とする。
前記信号制御部は、前記フレームバッファからのバッファデータと前記レジスタからの基本値とに基づいて前記データ累積値を生成するレベル復号器をさらに有することを特徴とする。
前記補正係数は、前記データ累積値の関数で予め決定されることを特徴とする。
前記信号制御部は、補正変数を記憶するルックアップテーブル、並びに、前記ルックアップテーブルから受信した補正変数に基づいて前記データ累積値に対応する補正係数を算出し、該補正係数に基づいて前記補正映像データを生成する映像信号補正部を有することを特徴とする。
前記画素は少なくとも３つの基本色の画素を含み、前記補正係数は少なくとも３つの基本色ごとに独立的に算出されることを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
このような本発明の表示装置によれば、映像信号を累積したデータ累積値を記憶し、データ累積値による有機発光表示装置の劣化係数を予め決定した後、該劣化係数に基づいて映像信号を補正することによって、有機発光ダイオード及び駆動トランジスタの劣化を補償することができ、長時間駆動しても補償能力が低下しない。また、スイッチングトランジスタ、駆動トランジスタ、データ線及び走査信号線以外に別途のトランジスタ及び信号線を備えないので、画素の開口率を向上させることができる。
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
用紙を供給する給紙装置と、
前記用紙に画像を形成する画像形成装置と、
画像形成された用紙を排出する排紙装置と、
前記用紙の搬送状態を管理する制御部と、を備え、
前記制御部は、前記前記給紙装置から用紙の搬送不良を示す情報を受信した場合に、前記画像形成装置及び前記排紙装置に対して、搬送動作の可否の判断を指示する指示信号を送信し、
前記画像形成装置及び前記排紙装置は、前記指示信号に応じて夫々独立に用紙の搬送動作を継続するか否かを決定することを特徴とする画像形成システム。
【請求項２】
前記画像形成装置及び前記排紙装置は、前記指示信号が送信された場合、搬送可能な用紙があるか否かを判断し、判断結果に基づいて、用紙搬送を継続するか否かを決定することを特徴とする請求項１に記載の画像形成システム。
【請求項３】
前記画像形成装置は、前記指示信号を受信した場合、前記画像形成装置の用紙搬入側の用紙搬送を停止し、用紙排出側の用紙搬送を続行することを特徴とする請求項１記載の画像形成システム。
【請求項４】
前記画像形成装置は、前記指示信号を受信した場合、前記画像形成装置の用紙搬入側及び用紙搬出側の用紙搬送を続行することを特徴とする請求項１記載の画像形成システム。
【請求項５】
前記搬送不良を示す情報は、前記画像形成装置と前記給紙装置との間、又は、前記画像形成装置と前記排紙装置の間にまたがって存在する用紙があるか否かを示す情報を含むことを特徴とする請求項１に記載の画像形成システム。
【請求項６】
用紙を供給する給紙装置と、
前記用紙に画像を形成する画像形成装置と、
画像形成された用紙を排出する排紙装置と、
前記用紙の搬送状態を管理する制御部と、を備え、
前記制御部は、前記排紙装置から用紙の搬送不良を示す情報を受信した場合に、前記画像形成装置に対して、搬送動作の停止を指示する第１の指示信号を送信し、
前記画像形成装置は、前記第１の指示信号に応じて用紙の搬送動作を停止するとともに、前記制御部に、搬送動作の停止を示す情報を送信し、
前記制御部は、前記画像形成装置からの搬送動作の停止を示す情報を受信した場合に、前記給紙装置に対して、搬送動作の停止を指示する第２の指示信号を送信し、
前記給紙装置は、前記第２の指示信号に応じて用紙の搬送動作を停止することを特徴とする画像形成システム。
【請求項７】
用紙を供給する給紙ステップと、
前記用紙に画像を形成する画像形成ステップと、
画像形成された用紙を排出する排紙ステップと、
前記給紙ステップにおいて、用紙の搬送不良が検知された場合に、前記搬送不良を示す情報を送信する第１送信ステップと、
前記搬送不良を示す情報に応じて、搬送動作の可否の判断を指示する指示信号を送信する第２送信ステップと、
前記指示信号に応じて、前記画像形成ステップと前記排紙ステップの夫々において、用紙の搬送動作を継続するかを判断する判断ステップと、を有することを特徴とする画像形成方法。
【請求項８】
前記判断ステップは、前記指示信号に応じて、搬送可能な用紙があるか否かを判断し、判断結果に基づいて、用紙搬送を継続するか否かを決定することを特徴とする請求項７に記載の画像形成方法。
【請求項９】
用紙を供給する給紙ステップと、
前記用紙に画像を形成する画像形成ステップと、
画像形成された用紙を排出する排紙ステップと、
前記排紙ステップにおいて、前記排出時に用紙の搬送不良が検知された場合に、前記搬送不良を示す情報を送信する第１ステップと、
前記搬送不良を示す情報に応じて、搬送動作の停止を指示する第１の指示信号を送信する第２ステップと、
前記第１の指示信号に応じて、前記画像形成ステップにおいて、用紙の搬送動作を停止するとともに、搬送動作の停止を示す情報を送信する第３ステップと、
前記搬送動作の停止を示す情報に応じて、搬送動作の停止を指示する第２の指示信号を送信する第４ステップと、
前記第２の指示信号に応じて、前記排紙ステップにおいて、用紙の搬送動作を停止する第５ステップと、を有することを特徴とする画像形成方法。
【請求項１０】
用紙を供給する給紙装置と、前記用紙に画像形成を行う画像形成装置と、を備え、
前記画像形成装置は、装置外部からの信号を受信する第１制御手段と画像形成動作を制御する第２制御手段とを含み、
前記給紙装置は、前記給紙装置内の用紙の搬送不良が検知された場合に、前記搬送不良を示す情報を前記第１制御手段に送信し、
前記第１制御手段は、前記搬送不良を示す情報に基づいて、前記第２制御手段に対して、用紙の搬送動作の可否を判断するための指示信号を送信し、
前記第２制御手段は、前記第１制御手段からの指示信号と、前記画像形成装置内の用紙の搬送状態とに基づいて、用紙の搬送動作を続行するか否かを決定することを特徴とする画像形成システム。
【請求項１１】
画像形成装置に接続される給紙装置によって用紙を給紙する際に、前記用紙の搬送不良が検知された場合、前記搬送不良を示す情報を送信するステップと、
前記搬送不良を示す情報に基づいて、前記画像形成装置に対して、用紙の搬送動作の可否を判断するための指示信号を送信するステップと、
前記指示信号と前記画像形成装置の用紙の搬送状態とに基づいて、前記画像形成装置が用紙の搬送動作を継続するか否かを決定するステップと、
を有することを特徴とする画像形成方法。
【手続補正２】
【補正対象書類名】明細書
【補正対象項目名】０００９
【補正方法】変更
【補正の内容】
【０００９】
本発明の画像形成システムは、用紙を供給する給紙装置と、用紙に画像を形成する画像形成装置と、画像形成された用紙を排出する排紙装置と、用紙の搬送状態を管理する制御部とを備える。制御部は、給紙装置から用紙の搬送不良を示す情報を受信した場合に、画像形成装置及び排紙装置に対して、搬送動作の可否の判断を指示する指示信号を送信する。画像形成装置及び前記排紙装置は、前記指示信号に応じて夫々独立に用紙の搬送動作を継続するか否かを決定する。
【手続補正３】
【補正対象書類名】明細書
【補正対象項目名】００１１
【補正方法】変更
【補正の内容】
【００１１】
本発明の画像形成方法は、用紙を供給する給紙ステップと、用紙に画像を形成する画像形成ステップと、画像形成された用紙を排出する排紙ステップと、給紙ステップにおいて、用紙の搬送不良が検知された場合に、搬送不良を示す情報を送信する第１送信ステップと、搬送不良を示す情報に応じて、搬送動作の可否の判断を指示する指示信号を送信する第２送信ステップと、指示信号に応じて、画像形成ステップと排紙ステップの夫々において、用紙の搬送動作を継続するかを判断する判断ステップとを含む。
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
スイッチング素子を各々含む複数の画素、
前記スイッチング素子に連結されているゲート線、
前記ゲート線の各々の一端に一つずつ連結されていて、前記ゲート線に対して順番にゲート信号を出力する複数のステージ、を含む第１ゲート駆動部、及び、
前記ゲート線の各々の他端に一つずつ連結されていて、前記ゲート線に対して順番にゲート信号を出力する複数のステージ、を含む第２ゲート駆動部を有する表示装置。
【請求項２】
前記第１ゲート駆動部と前記第２ゲート駆動部とでは、同じゲート線に連結されているステージが同じ時間にゲート信号を出力する請求項１に記載の表示装置。
【請求項３】
前記第１ゲート駆動部のステージと前記第２ゲート駆動部のステージとのそれぞれが、セット端子、リセット端子、ゲートオフ電圧端子、第１出力端子、第２出力端子、第１クロック端子及び第２クロック端子を含む請求項１又は２に記載の表示装置。
【請求項４】
前記画素、前記ゲート線、前記第１ゲート駆動部及び前記第２ゲート駆動部が同じ表示パネルに集積化されている請求項１から３のいずれか１つに記載の表示装置。
【請求項５】
前記表示パネルが駆動回路チップを更に含む請求項４に記載の表示装置。
【請求項６】
前記画素に連結されているデータ線、
データ電圧を前記データ線に対して印加するデータ駆動部、並びに、
前記第１ゲート駆動部、前記第２ゲート駆動部、及び前記データ駆動部に対して制御信号を印加する信号制御部を更に有する請求項１から５のいずれか１つに記載の表示装置。
【請求項７】
前記表示パネルが、前記画素に連結されているデータ線を含み、
前記駆動回路チップが、
データ電圧を前記データ線に対して印加するデータ駆動部、並びに、
前記第１ゲート駆動部、前記第２ゲート駆動部、及び前記データ駆動部に対して制御信号を印加する信号制御部を含む請求項４から６のいずれか１つに記載の表示装置。
【請求項８】
スイッチング素子を各々含む複数の画素、
前記スイッチング素子に連結されているゲート線、
前記ゲート線の各々の一端に一つずつ連結されていて、前記ゲート線に対して順番にゲート信号を出力する複数のステージを含む主ゲート駆動部、
順番にゲート信号を出力する複数のステージ、を含む副ゲート駆動部、及び、
前記副ゲート駆動部のステージを一つずつ、前記ゲート線の各々の他端に連結するスイッチング部を有する表示装置。
【請求項９】
前記主ゲート駆動部のステージのいずれかがゲート信号を生成できない場合、前記スイッチング部の一つが、そのステージに連結されている前記ゲート線の他端と前記副ゲート駆動部のステージの一つとの間を導通させる請求項８に記載の表示装置。
【請求項１０】
前記スイッチング部の別の一つが、前記不良ステージの直前のステージに連結されているゲート線の他端と前記代替ステージの直前のステージとの間を導通させる請求項９に記載の表示装置。
【請求項１１】
前記不良ステージから前記ゲート線の一端へゲート信号を伝達するための配線が途中で切断され、
前記不良ステージからその前後のステージへキャリー信号を伝達するためのキャリー信号線が途中で切断され、
前記不良ステージから切断された前記ゲート線の一端が、前記不良ステージからその前後のステージへキャリー信号を伝達するためのキャリー信号線、への短絡により前記不良ステージの前後のステージに連結され、
前記代替ステージへその直前のステージからキャリー信号を伝達するための信号線が途中で切断され、
前記代替ステージの直前のステージから前記スイッチング部の別の一つへゲート信号を伝達するための配線が途中で切断され、
前記代替ステージの直前のステージから切断された前記スイッチング部の別の一つが、前記代替ステージへその直前のステージからキャリー信号を伝達するためのキャリー信号線、への短絡により前記代替ステージに連結されている請求項１０に記載の表示装置。
【請求項１２】
前記代替ステージからその前後のステージへキャリー信号を伝達するためのキャリー信号線が切断されている請求項１１に記載の表示装置。
【手続補正書】
【提出日】平成21年3月16日(2009.3.16)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
絶縁表面上に設けられた第１の配線層及びフローティング電極と、
前記第１の配線層上に設けられた第１の絶縁層と、
前記第１の絶縁層上に設けられた第２の配線層と、
前記第２の配線層を覆い、塗布法により形成された第２の絶縁層と、を有し、
前記第１の配線層と前記第２の配線層とが重なる部分を有し、
前記フローティング電極は、前記重なる部分の周辺に設けられていることを特徴とする半導体装置。
【請求項２】
請求項１において、
前記絶縁表面と前記第１の絶縁層との間には、第３の配線が設けられており、
前記重なる部分は、前記第３の配線及び前記フローティング電極に囲まれた領域と重なる箇所に位置することを特徴とする半導体装置。
【請求項３】
絶縁表面上に設けられた第１の配線層と、
前記第１の配線層上に設けられた第１の絶縁層と、
前記第１の絶縁層上に設けられた第２の配線層及びフローティング電極と、
前記第２の配線層上及び前記フローティング電極上に設けられ、塗布法により形成された第２の絶縁層と、を有し、
前記第１の配線層と前記第２の配線層とが重なる部分を有し、
前記フローティング電極は、前記重なる部分の周辺に設けられていることを特徴とする半導体装置。
【請求項４】
請求項３において、
前記第１の絶縁層と前記第２の絶縁層との間には、第３の配線が設けられており、
前記重なる部分は、前記第３の配線及び前記フローティング電極に囲まれた領域と重なる箇所に位置することを特徴とする半導体装置。
【請求項５】
絶縁表面上に設けられた第１の配線層と、
前記第１の配線層上に設けられた第１の絶縁層と、
前記第１の絶縁層上に設けられた第２の配線層と、
前記第２の配線層上に設けられ、塗布法により形成された第２の絶縁層と、を有し、
前記第１の配線層と前記第２の配線層とが重なる部分を有し、
前記重なる部分において、前記第１の配線層と前記第２の配線層とは平行方向に配置されているとともに、前記第１の配線層の前記平行方向と垂直な方向の幅と前記第２の配線層の前記平行方向と垂直な方向の幅とが異なることを特徴とする半導体装置。
【請求項６】
請求項１乃至５のいずれか一項において、
前記第１の絶縁層上には、前記第２の配線層と電気的に接続された下部電極が設けられており、
前記第２の絶縁層は前記画素電極の周縁部を覆って設けられおり、
前記画素電極上及び前記第２の絶縁層上には、発光層が設けられており、
前記発光層上には、上部電極が設けられていることを特徴とする半導体装置。
【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
エアで基板を浮上させる浮上ステージと、
前記浮上ステージ上を搬送される前記基板を観察する観察手段と、
前記基板に対して下面から照明光を照射する透過照明光源と、
前記浮上ステージを上下に貫通し、前記照明光が通過可能な隙間からなる照明光通過部と、
前記照明光通過部の隙間を塞ぐように嵌め込まれ前記照明光を透過させる透過部材とを備え、
前記透過部材の上面は、前記浮上ステージの上面とほぼ同じ高さ、もしくは前記浮上ステージの上面よりも下に配置されることを特徴とする基板検査装置。
【請求項２】
前記透過部材は、前記照明光を透過させる透明なガラス板からなる請求項１に記載の基板検査装置。
【請求項３】
前記透過部材は、前記照明光を散乱させる散乱板からなる請求項１に記載の基板検査装置。
【請求項４】
前記透過部材は、前記照明光を散乱させる散乱状態、または前記照明光を透過させる透過状態に切り換え可能な透過型液晶散乱板からなる請求項１に記載の基板検査装置。
【請求項５】
前記透過部材は、前記浮上ステージに固定する固定手段と、前記固定手段に設けられ、前記浮上ステージに対する前記透過部材の高さを調整する調整手段とを備えることを請求項１から４のいずれか一項に記載の基板検査装置。
【請求項６】
前記固定手段は、前記浮上ステージに形成された基板固定用のネジ孔と、前記ネジ孔に締結される締結部材とを備え、前記調整手段は、前記固定手段に形成された基板の高さを調整する高さ調整用のネジ孔と、前記ネジ孔に螺入される高さ調整ビスとを備え、前記高さ調整ビスの前記ネジ孔に対する押し込み量を変化させることにより前記浮上ステージに対する前記透過部材の高さを調整し、前記基板固定用のネジ孔に前記締結部材を締結することにより、前記透過部材が前記固定手段を介して前記浮上ステージに固定される請求項５に記載の基板検査装置。
【請求項７】
前記浮上ステージは、搬送方向に対して平行に複数条に形成した凹部を有し、前記固定手段は、前記透過部材の縁部に沿って複数個所に設けられ、前記固定手段を前記凹部に嵌め込んで前記透過部材を前記浮上ステージに固定する請求項５に記載の基板検査装置。
【請求項８】
前記観察手段は、前記透過部材に向けてエアを吹き付けるエアブローユニットを備える請求項１に記載の基板検査装置。
【手続補正２】
【補正対象書類名】明細書
【補正対象項目名】０００６
【補正方法】変更
【補正の内容】
【０００６】
本願発明の基板検査装置は、エアで基板を浮上させる浮上ステージと、前記浮上ステージ上を搬送される前記基板を観察する観察手段と、前記基板に対して下面から照明光を照射する透過照明光源と、前記浮上ステージを上下に貫通し、前記照明光が通過可能な隙間からなる照明光通過部と、前記照明光通過部の隙間を塞ぐように嵌め込まれ前記照明光を透過させる透過部材とを備え、前記透過部材の上面は、前記浮上ステージの上面とほぼ同じ高さ、もしくは前記浮上ステージの上面よりも下に配置される。